(57)【特許請求の範囲】
【請求項１】
モバイル・ワイヤレス通信システムにおいて、サービス提供基地局から移動先基地局へ転送される移動局の通信セッションを、割り込みを有するダイレクトコールピックアップを使用してハンドオフする方法であって、
（ａ）呼設定メッセージを交換機へ送信し、そして一連の情報メッセージを前記交換機へ送信することで、前記移動先基地局から前記交換機へ割り込み呼経路を確立するステップを含み、前記一連の情報メッセージは、割り込みを有するダイレクトコールピックアップを要求し、そして前記サービス提供基地局における前記通信セッションに関わる第１の予め指定されたディレクトリ番号を明示するものであり、さらに
（ｂ）前記割り込み呼経路を前記通信セッションに接続して、逆向きの３方向通信セッションを生成するステップと、
（ｃ）前記割り込み呼経路を介した前記通信セッションを続行するために、前記移動局を前記移動先基地局と通信するようにするステップと、
（ｄ）前記サービス提供基地局を前記通信セッションから解除するステップとを含むことを特徴とする方法。
【請求項２】
前記割り込みを有するダイレクトコールピックアップが前記一連の情報メッセージの中で機能起動情報エレメントとして特定されることを特徴とする請求項１に記載の方法。
【請求項３】
前記ステップ（ｂ）が更に、
前記交換機から前記移動先基地局へ呼進行メッセージを送信するステップと、
前記移動先基地局から前記交換機へ接続メッセージを送信するステップとを含むことを特徴とする請求項１に記載の方法。
【請求項４】
前記ステップ（ｄ）が更に、
前記サービス提供基地局から前記交換機へ遮断メッセージを送信するステップと、
前記交換機から前記サービス提供基地局へ解除メッセージを送信するステップとを含むことを特徴とする請求項１に記載の方法。
【請求項５】
モバイル・ワイヤレス通信システムにおいて、サービス提供基地局から移動先基地局へ転送される移動局の通信セッションを、割り込みを有するダイレクトコールピックアップを使用してハンドオフするシステムであって、
交換機と、
前記交換機に接続された複数の基地局とを含み、前記複数の基地局は、サービス提供基地局と前記移動先基地局とを含み、前記移動先基地局が、呼設定メッセージを前記交換機へ送信し、そして一連の情報メッセージを前記交換機へ送信することで割り込み呼経路（１６５）を生成させるインストラクションを包含するものであり、前記一連の情報メッセージは、割り込みを有するダイレクトコールピックアップを要求し、そして前記サービス提供基地局における前記通信セッションに関わる第１の予め指定されたディレクトリ番号を特定するものであり、
前記移動局が、前記移動先基地局と通信し前記割り込み呼経路を介する前記通信セッションを続行するように指示され、前記サービス提供基地局が前記通信セッションから解除されることを特徴とするシステム。
【請求項６】
モバイル・ワイヤレス通信システムにおいて、サービス提供基地局から移動先基地局へ転送される移動局の通信セッションを、割り込みを有するダイレクトコールピックアップを使用してハンドオフする装置であって、
交換機との通信と前記移動局との通信のためのネットワーク・インターフェースと、
インストラクションを格納するメモリと、
前記メモリと前記ネットワーク・インターフェースとに結合されたプロセッサとを含み、前記プロセッサは、呼設定メッセージと一連の情報メッセージとを前記ネットワーク・インターフェースを介して前記交換機へ送信することで、前記通信セッションへの接続のための割り込み呼経路を生成させて逆向きの３方向通信セッションを生成するインストラクションを包含しており、前記一連の情報メッセージは、割り込みを有するダイレクトコールピックアップを要求し、そして前記サービス提供基地局における前記通信セッションに関わる第１の予め指定されたディレクトリ番号を特定するものであり、そして前記プロセッサは、前記割り込み呼経路を介して前記通信セッションを続行するために、前記移動局から受信された通信を前記割り込み呼経路へ接続するインストラクションを更に包含することを特徴とする装置。
【請求項７】
モバイル・ワイヤレス通信システムにおいて、サービス提供基地局から移動先基地局へ転送される移動局の通信セッションを、割り込みを有するダイレクトコールピックアップを使用してハンドオフする装置であって、
前記移動先基地局と前記サービス提供基地局との通信のためのネットワーク・インターフェースと、
インストラクションを格納するメモリと、
前記メモリーと前記ネットワーク・インターフェースとに結合されたプロセッサとを含み、前記プロセッサは、前記ネットワーク・インターフェースを介して前記移動先基地局からの前記割り込み呼経路の受信と、呼設定メッセージの受信と、割り込みを有するダイレクトコールピックアップを要求し、そして前記サービス提供基地局における前記通信セッションに関わる第１の予め指定されたディレクトリ番号を特定する一連の情報メッセージの受信とがされ次第、前記移動局の前記移動先基地局との通信に続いて、前記割り込み呼経路を介して前記通信セッションを続行するために前記割り込み呼経路を通信セッションへ接続して逆向きの３方向通信セッションを生成させるインストラクションを包含することを具備することを特徴とする装置。
【発明の詳細な説明】
【０００１】
【発明の属する技術分野】
本発明は概ねワイヤレス通信システムに関し、特に割り込みを有するダイレクトコールピックアップ（directed call pick up with barge-in）を使用するモバイル・ワイヤレス通信ハンドオフのための装置、方法及びシステムに関する。
【０００２】
【従来の技術】
モバイル・ワイヤレス通信システムは代表的にはセル・サイトのような多数の基地局を使用して所定の地理的領域全体にわたってワイヤレス通信を供する。移動局がその地理的領域を通り越す可能性が有るので、移動局とやり取りされる通信がこれらの基地局の１以上を介して行われる可能性が有る。そのような基地局間の移行中に進行中の通信セッションを維持するため、そのような進行中の呼即ち通信セッションが維持されている間に移動局へのワイヤレス通信を或る基地局から別の基地局へ転送するための様々なハンドオフ方法が発展して生まれている。
【０００３】
従来技術では、そのようなハンドオフ中に使用される様々な方法のうちの幾つかの場合、通信セッションがワイヤレス通信サービスの消費者にそれと分かる或る程度の中断を受ける可能性が有る。その結果、進行中の通信セッションを中断することが無く且つ通話者が感じ取れない比較的にシームレスなハンドオフを提供する要望が残されている。
【０００４】
更に、他にも比較的にシームレスなハンドオフを供することが出来る従来技術システムが有る、そのようなハンドオフはかなり多くのネットワーク資源を使用するのが代表的である。例えば、Autoplex（登録標章）システムでは交換機及び基地局の他に、エクゼクティブ・コール・プロセッサ（Executive Call Processor；ＥＣＰ）と呼ばれる別のネットワーク・エンティティーが別のセル・サイトのサーバを選択し、その一方で呼処理データベース・ノード（Call Processing Database Node；ＣＤＮ）と呼ばれる別のネットワーク・エンティティーが、今存在する呼に別の経路を付加し、別のセル・サイトがワイヤレス音声リンクを作動するように指示し、且つ、現在の（サービスを提供している）セル・サイトに指示して現在の（サービスを提供している）セル・サイトが、移動局が別のセル・サイトで別のワイヤレス音声リンクに同調するように指示する様々なデータ・リンク・メッセージを現在のセル・サイト及び別のセル・サイトへ送信する。
【０００５】
【発明が解決しようとする課題】
その結果、比較的にシームレスで且つ感じ取れないハンドオフを供するワイヤレス通信システムに対する要望が残されている。更に、そのようなワイヤレス通信システムはかなり有効であり、増設ネットワーク資源の使用を不要にし、若しくは最少にする経済的に優れた実施が可能でなければならない。
【０００６】
本発明のワイヤレス通信システムは、移動局の通信セッションの実質的にシームレスで且つ感じ取れないハンドオフを提供することを目的とする。本発明の種々の実施例は、かなり有効で且つ交換機及び基地局のような既存の通信機器において経済的に優れた実施が可能である。本発明の種々の実施例はまた、ディジタル通信環境若しくはアナログ通信環境の何れでも遂行可能である。更に本発明の種々の実施例は他の高機能ネットワーク装置及びシステムと両立性が有る一方で、ＥＣＰ及びＣＤＮのようなその他のネットワーク資源の使用を不要にし、若しくは最少にする。
【０００７】
【課題を解決するための手段】
本発明によれば、サービスを提供している基地局から移動先の基地局へ転送される移動局の通信セッションを、割り込みを有するダイレクトコールピックアップを使用してハンドオフするための装置、方法及びシステムが供される。好適なシステムはサービスを提供している基地局及び移動先の基地局に結合された交換機を包含する。通信のハンドオフが指示されると、移動先の基地局が交換機への割り込み呼経路を別個の呼として生成する。その交換機が続いて割り込み呼経路を移動局の通信セッションに接続して、サービスを提供している基地局を介している移動局、移動先の基地局及び交換機の間に逆向きの３方向通信セッションを生成する。サービスを提供している基地局が続いて移動局へ移動先の基地局と通信し、割り込み呼経路を介する通信セッションを続行するように指示し、交換機がサービスを提供している基地局を通信セッションから解除する。
【０００８】
その結果、移動局の通信セッションはサービスを提供している基地局から移動先の基地局へシームレスに且つ中断無しにハンドオフされる。そのようなハンドオフまた、他の高機能ネットワーク・エレメント或いは監視ネットワーク・エレメントの関与無しに最小限のネットワーク資源、交換機及び基地局を使用して行われていた。
【０００９】
移動先の基地局から交換機への割り込み呼経路は、移動先の基地局と交換機との間で種々のメッセージを送信することによって確立される。交換機はそれに応じてこれらの種々のメッセージを受信すると、割り込み呼経路を確認し、且つ、通信セッションへ接続するように構成されている。一つの実施例では、移動先の基地局は交換機へ呼設定メッセージを送信するインストラクション、割り込みを有するダイレクトコールピックアップを要求している交換機へ第１の一連の情報メッセージを送信するインストラクション、及び、サービスを提供している基地局で通信セッションに関わる第１の前以て指定されたディレクトリ番号を明示する第２の一連の情報メッセージを交換機へ送信するインストラクションを包含する。以下に詳細に述べるように、これらの種々のメッセージを様々な方法で組み合わせることが可能である。
【００１０】
本発明の他の多くの利点と特徴は以下に述べる本発明とその実施例の詳細な記述、請求の範囲の項及び添付の図面から容易に明らかになるであろう。
【００１１】
【発明の実施の形態】
本発明は多数の異なる形態の実施例の余地があるが、ここではその具体的な実施例が図に示され、且つ、詳細に記述される。なお、本開示例は本発明の原理の例証として考えられ、且つ、本発明を図示された具体的な実施例に限定するように意図されるものではないことは言うまでもない。
【００１２】
上述の如く、かなり有効で且つ経済的に優れた実施が可能であり、且つ、ＥＣＰ及びＣＤＮのようなその他のネットワーク資源の使用を不要にし、若しくは最少にする、比較的にシームレスで且つ感じ取れないハンドオフを供するワイヤレス通信システムに対する要望が残されている。本発明によれば、そのような利点、即ち、最小限のネットワーク資源を使用し、即ち既存の交換機及び本発明に従って構成された基地局を使用し、同時に従来技術でのＥＣＰ及びＥＤＮのような他のネットワーク・エレメントの使用を不要にする比較的にシームレスで且つ感じ取れないワイヤレス・ハンドオフを供するシステム、装置及び方法が示される。
【００１３】
図１は本発明によるそのようなシステムの実施例１００を示すブロック図である。図１に示されるように、システム１００は交換機１１０と、第１の基地局１２０Ａ及び第２の基地局１２０Ｂのような１個以上の基地局、即ち、セル・サイト１２０を包含する。交換機１１０は、以下で更に詳細に述べるように、本発明に従って動作するように構成されている、本出願人が製造した５ＥＳＳ（登録商標）交換機のような通信交換機であることが望ましい。交換機１１０は、別の呼経路選択のため、ネットワーク１３０へ結合されている。交換機１１０はまた、これをモバイル通信交換機の中に包含することが出来、且つまた、他の高機能ネットワーク装置（図示無し）へ結合することが出来る。各基地局１２０は、セルラーまたはその他のワイヤレス電話機、ワイヤレス・モデム、またはその他のワイヤレス通信装置のような種々の移動局１４０と無線通信するためのワイヤレス・トランシーバを包含する。交換機１１０と基地局１２０とは、本技術分野で知られているように、信号通信及び／または中継路１５０を使用して互いに結合されている。好適な実施例では、交換機１１０は統合サービス・ディジタル・ネットワーク（Integrated Services Digital Network；ＩＳＤＮ）基本速度インターフェース（Basic Rate Interface；ＢＲＩ）ラインを使用して種々の基地局１２０に接続されている。
【００１４】
任意の移動局１４０が或る地理的領域を通り越し、その移動局１４０が通信状態にある何れか所定の基地局１２０から更に遠くなるとき、移動局１４０とやり取りされるそのような無線通信の信号レベルまたは電源レベルが代表的には好適なしきい値あるいは範囲以下に低下する。これらの状況の下では、上記所定の基地局１２０に関し、通信を上記所定の移動局１４０へやり取りされるより高い信号強度を持つ別の基地局１２０へハンドオフすることが望ましい。引き続き図１において、例えば、通信路即ち呼経路１６０として示されるように、移動局１４０Ａはｔ＜ｔ１なるときに現に第１の基地局１２０Ａによってサービスされる（交換機１１０とネットワーク１３０との間の通信セッションの一部が呼経路１５５として別個に示されている）。このような状況において、第１の基地局１２０Ａは一般的にサービスを提供している基地局或いはサービスを提供しているセル・サイトと称される。移動局１４０Ａが移動局１４０Ｃの近辺方向へ移動するとき、第１の、即ち、サービスを提供している基地局１２０Ａに関し、移動局１４０Ａの通信を第２の基地局１２０Ｂへハンドオフすることが必要であるかまたは望ましいことがある。これらの状況の下では、第２の基地局１２０Ｂは一般的に移動先基地局或いは移動先セル・サイトと称される。そのようなハンドオフが、本発明に従って、図２に関して以下に示される。
【００１５】
図２は、本発明による、第１の基地局から移動局への第１の通信路と、ハンドオフの間に形成される第２、即ち、割り込み通信路とを有するシステム実施例を示すブロック図である。本発明により、且つ、以下に更に詳細に説明されるように、そのようなハンドオフを達成するために、第２の、即ち、移動先の基地局１２０Ｂが交換機１１０との通信セッションを開始し、交換機１１０が続いて基地局１２０Ｂとのこの通信セッションが図２に別のレッグ即ち呼経路１６５として示されている移動局１４０Ａへの呼経路１６０に“割り込み”されることが可能になるように構成されて、第１の、即ち、サービスを提供している基地局１２０Ａを介している移動局１４０Ａと、交換機１１０と、第２の、即ち、移動先の基地局１２０Ｂとの間の“逆向きの３方向”の通信セッションを設定する。以下に更に詳細に説明されるように、この“逆向きの３方向”の通信セッションは種々の呼設定メッセージ、各基地局１４０に対する種々のディレクトリ番号（ディレクトリ番号；ＤＮ）の割り当てにより、且つ交換機がハンドオフのための割り込み要求を示す特定のメッセージを識別するように構成することによって達成される。このハンドオフの完了処理は、続いて図３を参照して以下に示されるように進行する。
【００１６】
図３は、本発明による、ハンドオフの完了処理中に形成される第２の通信路と、第１の通信路の遮断開始状態とを示すシステム実施例を示すブロック図である。本発明により、“割り込み”呼経路１６５が確立されると、即ち割り込みが完了すると、移動局１４０Ａは、次に、即ち、時間ｔ1或いはそれよりも大きい時間ｔに、基地局１２０Ｂの特定のチャネルへ同調するかそれとも呼経路１７０として示されるような基地局１２０Ｂへの通信路を設定して、同一の通信セッションを割り込み呼経路１６５を介して継続する（第１の基地局１２０Ａと移動局１４０Ａとの間の通信路１６０の一部が、移動局１４０Ａが第２の基地局１２０Ｂへの呼経路１７０を確立するとき除かれる）。その結果、サービスを提供している基地局から移動先の基地局への通信セッションのハンドオフが完了し、且つ、交換機１１０から第１の基地局１２０Ａへの通信路１６０が遮断され、通信セッションは中断されること無く、図３に示されるようにリンク即ち呼経路１５５、１６５及び１７０を介して継続する。
【００１７】
上記説明から明らかなように、第１の、即ち、サービスを提供している基地局１２０Ａから第２の、即ち、移動先の基地局１２０Ｂへの通信セッションのハンドオフは、割り込みを有するダイレクトコールピックアップに合わせて構成されている交換機１１０を使用してシームレスに且つ中断無く行われる。更に、そのようなハンドオフは増設ネットワーク資源を必要とすること無く達成される。
【００１８】
一旦移動先の基地局が選択されると、本発明の他の顕著な相違として、通信セッションの実際のハンドオフが、割り込み呼経路が生成されることにより移動先の基地局によって開始される。従来技術からの顕著な相違点であるハンド・オフ呼経路、この場合では割り込み呼経路は、交換機１１０によっても、サービスを提供している基地局によっても、或いはその他のネットワーク・エンティティーによっても開始されない。
【００１９】
図４は本発明による装置の実施例２００を示すブロック図である。以下に詳細に述べるように、そのような装置２００はシステム１００の交換機１１０及び／または基地局１２０の中に包含されるか或いはそれらの間に分配されるようにすることが出来る。装置２００はプロセッサ２１０、ネットワーク・インターフェース２１５及びメモリー２２０を包含する。ネットワーク・インターフェース２１５は、装置２００が基地局１２０の中に組み入れられているときに割り込み呼経路１６５を送信するような、或いは装置２００が交換機１１０の中に組み入れられているときに呼経路１６５による割り込みを受信するような、種々の通信リンク即ち通信路を受信及び送信するために使用される。ネットワーク・インターフェース２１５はまた、割り込み呼経路１６５に関する呼設定メッセージのような、以下に述べる種々の要求及び応答を送信及び受信するために使用される。メモリー２２０はマグネティック・ハード・ディスク・ドライブであってもよく、オプティカル・ストレージ・デバイスであってもよく、或いはその他の種類のデータ蓄積装置であってもよい。メモリー２２０は、以下で更に詳細に述べるように、発呼情報、呼設定情報、経路選択情報、及びプログラム・インストラクションに関係する情報を格納するために使用される。
【００２０】
引き続き図４において、プロセッサ２１０は１個の集積回路（integrated circuit；ＩＣ）を包含することが出来、或いは複数個の集積回路或いは、その他のコンポーネント、例えばマイクロプロセッサや、ディジタル信号プロセッサ（digital signal processor；ＤＳＰ）、特定用途向け集積回路（application specific integrated circuit；ＡＳＩＣ）、ＲＡＭ及びＲＯＭのような関連メモリー、及び、その他のＩＣ及びコンポーネント等が一緒に接続、配列、或いは一纏めにされたコンポーネントを包含することが出来る。その結果、本明細書で使用されるとき、プロセッサなる用語は、上述の機能及び図５を参照して以下に詳細に述べる機能を、マイクロプロセッサ・メモリーまたは別のＲＡＭ，ＲＯＭ、ＥＰＲＯＭまたはＥＥＰＲＯＭのような関連メモリーを用いて実行する、１個のプロセッサか、またはプロセッサやマイクロプロセッサ、コントローラ、或いは同様に他の何らかのグループの集積回路の構成を意味し、且つ、包含することが出来る。本発明の方法は、図１乃至図３に関して上述し、且つ、図５に関して以下に述べるように、プロセッサ２１０でメモリー２２０のようなその関連メモリー及びその他の同等なコンポーネントを用いて、プロセッサ２１０が機能的に作用しているとき、即ち、電源がオンされ且つ動作中であるとき、次の実行のための一組のプログラム・インストラクションとしてプログラムされ且つ格納されるようにすることが出来る。上述の如く、、そのような装置２００は交換機１１０及び／または基地局１２０の中に包含されるか或いはそれらの間に分配されるようにすることが出来る。
【００２１】
図５は本発明による方法の実施例を示すフロー・チャートである。本方法は開始ステップ３００で開始し、ステップ３０５でハンドオフが必要か若しくは望ましいかを判定する。この判定は、基地局１２０Ａのような、サービスを提供している基地局によって送信された種々の要求から、基地局１２０Ｂのような有り得べき移動先の基地局からの応答を用いて、或いは特定の移動局１４０によって為された判定によって、本技術分野で知られている種々の方法を介して達成することが出来る。次に、ステップ３１０で、やはり本技術分野で知られているように、第２の基地局１２０Ｂのような移動先の基地局がハンドオフのために選択される。この選択プロセスでは、移動先の基地局１２０が、例えば呼経路１６０に対する第１の基地局１２０Ａに対応付けられているディレクトリ番号にような、サービスを提供している基地局と移動局との間に確立された呼経路に対応付けられているサービスを提供している基地局１２０のディレクトリ番号に関する情報を供される。続いてステップ３１５で、例えば第２の基地局１２０Ｂのような移動先の基地局が呼経路割り込みのために交換機１１０へ呼設定（ＳＥＴＵＰ）メッセージを送信する。
【００２２】
好適な実施例では、ステップ３１５は多様な方法で達成することが出来る。最初、交換機は種々の基地局に対応付けられている特定のディレクトリ番号（ＤＮ）が割り込みを有するダイレクトコールピックアップを可能にする指示器を用いて構成され、そのような指示器で占められていた。ハンドオフのため、移動先の基地局１２０が交換機１１０へ別の呼のＳＥＴＵＰメッセージを送信し（或いはアナログ環境ではオフフック状態に進み）、交換機１１０から対応する肯定応答（或いはアナログ環境ではダイヤル・トーン）を受信する。続いて移動先の基地局１２０は１つ以上の情報（ＩＮＦＯＲＭＡＴＯＩＮ）メッセージ、好ましくはＩＳＤＮＱ．９３１標準に適合する情報メッセージを交換機１１０へ送信する。好適な実施例では、１つ以上の組の一連の情報メッセージが移動先の基地局１２０から交換機１１０へ送信される。第１の一連の情報メッセージには割り込みを有するダイレクトコールピックアップを指定する機能起動情報エレメントが包含され、その次に割り込みを有するダイレクトコールピックアップまたは再呼び出しダイヤル・トーンを指定する機能指示を有する情報メッセージまたは肯定応答が受信される。或いは、その一連の情報メッセージは、機能ボタンを、例えば機能起動情報エレメント中の情報エレメントとして包含し、或いは予め指定されているコードまたはその他のアクセス・コードを包含する、キーパッド・ディジット（ダイヤルされたディジット）を情報メッセージのキーパッド情報エレメントまたはフィールドとして使用してそのような割り込みを有するダイレクトコールピックアップを指定することが出来る。例えば、アクセス・コード（例えば“＊７０”）が構成され、キーパッド・ディジットのフィールド内で、交換機１１０へ割り込みを有するダイレクトコールピックアップを実行するように合図するために使用される。好適な実施例の第２の一連の１つ以上の情報メッセージが、例えばディレクトリ番号に設定されているキーパッド情報エレメントのような、別の呼レッグが割り込みすべき移動局１４０への呼経路１６０に対応付けられている、サービスを提供している基地局のディレクトリ番号を指定する。２組の一連の情報メッセージの代わりに、１組の一連の１個以上の情報メッセージを使用し、割り込みを有するダイレクトコールピックアップのための機能起動情報エレメントと対応ＤＮとの両方を指定する情報を供することが出来る。好適な実施例では、種々の各一連の情報メッセージのうち、１つの情報メッセージが交換機１１０へ送信されるべきディジット毎に使用される。
【００２３】
ステップ３１５の別の実施例として、移動先の基地局から交換機１１０への初期ＳＥＴＵＰメッセージが割り込みを有するダイレクトコールピックアップを指定する機能起動情報エレメントを包含することが出来、或いは同様に割り込みを有するダイレクトコールピックアップを指定するアクセス・コードをキーパッド・ディジット情報エレメントとして包含することが出来る。これらの別の実施例では、第１の一連の情報メッセージ或いはその一部と対応する肯定応答とが冗長である可能性が有り、無くすることが可能である。
【００２４】
次に、ステップ３２０で移動先の基地局が今ある通信セッションに接続し、逆向きの３方向の呼を形成する。割り込みを開始する際に、交換機１１０が代表的には呼進行メッセージを移動先の基地局１２０へ送信し、引続いて移動先の基地局１２０が交換機１１０へ呼接続メッセージを送信し、それに続いて逆向きの３方向の呼が交換機１１０と第１、即ちサービスを提供している基地局１２０Ａを介する移動局１４０と第２（移動先）基地局１２０Ｂとの間で開始されるとき、交換機１１０が移動先の基地局１２０へ接続肯定応答を送信する。
【００２５】
この逆向きの３方向の通信セッションが開始された後、即ち、割り込み呼経路１６５が完了した後、本発明により、ステップ３２５で移動局１４０Ａが続いて移動先の基地局１２０Ｂの特定のチャネルに同調するか、さもなければ例えば図３に呼経路１７０として示されるような、移動先の基地局１２０Ｂへの通信路を設定し、同一の通信セッションを割り込み呼経路１６５を介して継続する。好適な実施例では、そのような呼経路１７０の確立に備えるために種々の方法を使用することが出来、例えば、移動局１４０Ａがサービスを提供している基地局によって移動先の基地局のチャネルに同調するように指示されるようにすることが出来、或いはまた移動局１４０Ａが移動先の基地局へのそのような同調を開始することが出来る。それら種々の移動先の基地局及びサービスを提供している基地局が、一般的に図１に信号通信及び／または中継路１５０の１つとして示されている独立の信号通信経路を有するので、移動先の基地局は一般的に、サービスを提供している基地局が３方向呼の一部、即ち、第１の基地局１２０Ａと交換機１１０との間の呼経路１６０の一部を直ぐに停止（遮断）出来ることをサービスを提供している基地局に通知する。その結果、ステップ３３０で、以前にサービスを提供していた基地局１２０Ａが３方向の呼から遮断し、且つ、交換機１１０が以前にサービスを提供している基地局への呼を解除し、その結果、交換機１１０から第１の基地局１２０Ａ及び移動局１４０Ａへの通信路１６０が遮断され、通信セッションが図３に示されるようにリンク即ち呼経路１５５、１６５及び１７０を介して中断されること無く継続する。ステップ３３０は好ましくはthe以前にサービスを提供していた基地局１２０Ａから送信される遮断メッセージを交換機１１０へ送信し、続いて解除メッセージを交換機１１０から基地局１２０Ａへ送信し、続いて遮断完了メッセージをthe以前にサービスを提供していた基地局１２０Ａから交換機１１０へ送信することによって達成される。ステップ３３０での解除の後、本方法が終了し、リターン・ステップ３３５へ進む。
【００２６】
第２のディレクトリ番号が移動先の基地局で割り込み呼経路に対応付けられることが出来ることに留意しなければならない。その結果、もし別のハンドオフが現在サービスを提供している基地局となっているこの基地局と現在移動先の基地局となっている第３の基地局との間で別のハンドオフが望ましい場合は、この第２のディレクトリ番号を使用して上記で略述された手順が反復されるようにすることが出来る。多くのハンドオフが移動局の所定の通信セッションに対して必要になる場合にはこのプロセスが継続されるようにすることが出来る。
【００２７】
本発明の多くの利点が上記記述から明らかになるであろう。第１に、上記で示されたように本発明のワイヤレス通信システムは移動局の通信セッションの実質的にシームレスで且つ感じ取れないハンドオフを供する。第２に、本発明の種々の実施例はかなり有効であり、且つ、例えば交換機や基地局のような既存の通信機器で経済的に優れた実施が可能である。本発明の種々の実施例はまた、ディジタルまたはアナログ通信環境の何れかで遂行することが可能である。更に、本発明の種々の実施例は他の高機能ネットワーク装置及びシステムと両立性が有る一方で、ＥＣＰ及びＣＤＮのようなその他のネットワーク資源の使用を不要にし、若しくは最少にする。
【００２８】
【発明の効果】
以上説明したように、本発明は、移動局の通信セッションはサービスを提供している基地局から移動先の基地局へシームレスに且つ中断無しにハンドオフされ、そのようなハンドオフはまた、他の高機能ネットワーク・エレメント或いは監視ネットワーク・エレメントの関与無しに最小限のネットワーク資源、交換機及び基地局を使用して行うことが出来る効果が有る。
【００２９】
なお、特許請求の範囲に記載した参照符号は発明の理解を容易にするためのものであり、特許請求の範囲を制限するように理解されるべきものではない。
【図面の簡単な説明】
【図１】  本発明による、ハンドオフの前に第１の基地局から移動局への第１の通信が示されているシステム実施例を示すブロック図。
【図２】  本発明による、第１の基地局から移動局への第１の通信と、ハンドオフ中に示される第２、即ち、割り込み通信路とが示されているシステム実施例を示すブロック図。
【図３】  本発明による、ハンドオフの完了処理中に形成される第２の通信路と、第１の通信路の遮断開始状態とが示されているシステム実施例を示すブロック図。
【図４】  本発明による装置の実施例を示すブロック図。
【図５】  本発明による方法の実施例を示すフロー・チャート。
【符号の説明】
１００    モバイル・ワイヤレス通信ハンドオフ・システム
１１０    交換機
１２０Ａ  第１の基地局
１２０Ｂ  第２の基地局
１３０    ネットワーク
１４０Ａ  移動局
１４０Ｂ  移動局
１４０Ｃ  移動局
１４０Ｄ  移動局
１５０    信号通信及び／または中継路
１５５    呼経路
１６０    呼経路
１６５    割り込み呼経路
１７０    呼経路
１６５    割り込み呼経路
２００    モバイル・ワイヤレス通信ハンドオフ装置
２１０    プロセッサ
２１５    ネットワーク・インターフェース
２２０    メモリー
【図１】
0004014788.tif 000002
【図２】
0004014788.tif 000003
【図３】
0004014788.tif 000004
【図４】
0004014788.tif 000005
【図５】
0004014788.tif 000006